【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
画素ルミナンスを有する画素色を、斯様な画素ルミナンスをエンコードするｌｕｍａコードに割り当てるためのコード配分関数を構成する方法であって、
少なくとも２つの部分関数からｌｕｍａコードマッピングを構成することにより、ｌｕｍａコード値を取得するために画素の線形ルミナンスに適用されるべきコード配分関数を決定するステップを有し、
前記ｌｕｍａコードマッピングは、第１の出力ｌｕｍａ値の全体ｌｕｍａ範囲に対する線形ルミナンス入力値の全体ルミナンス範囲の非線形可逆マッピングを規定する前記少なくとも２つの部分関数のうちの第１の部分関数と、第２の出力ｌｕｍａ値の全体ｌｕｍａ範囲に対する前記第１の出力ｌｕｍａ値である入力ｌｕｍａ値の全体ｌｕｍａ範囲の非線形可逆マッピングを規定する、前記少なくとも２つの部分関数のうちの前記第１の部分関数からのｌｕｍａ値に連続的に適用される第２の部分関数とから構成されるｌｕｍａ値に対して画素線形ルミナンスの非線形マッピングを与える、方法。
【請求項２】
前記画素色が、ハイダイナミックレンジイメージからリードされる、請求項１に記載の方法。
【請求項３】
前記部分関数のうち少なくとも１つは、予め決められた色調マッピング関数である、請求項１に記載の方法。
【請求項４】
前記部分関数のうち少なくとも１つは、ガンマ関数である、請求項１に記載の方法。
【請求項５】
前記部分関数のうち少なくとも１つは、非線形ガンマ曲線、ｓＲＧＢ仕様に従う非線形ガンマ曲線、ＩＴＵ−Ｒ  ＢＴ．７０９−５仕様に従う非線形ガンマ曲線、ドルビーの知覚的な量子化関数、
【数８】
2016533072.tif 000001
として実質的に与えられる関数（ここで、Ｙはｌｕｍａ値であり、Ｖは［０；１］の範囲における線形ルミナンス入力値であり、Ｌは白色ポイントを反映する定数であり、及び、ｍ，ｎ，ｃ１，ｃ２及びｃ３は、設計パラメータである）、及び、
【数９】
2016533072.tif 000002
として実質的に与えられる関数（ここで、ｘは［０；１］の範囲における出力値であり、ｖは［０；１］の範囲における入力値であり、値ａ，ｂ，ｃ及びｄは、設計パラメータである）からなるグループからのものである、請求項１又は請求項２に記載の方法。
【請求項６】
前記コード配分関数を適用することにより、入力高ダイナミックレンジ画像における画素の線形ルミナンスのための画素ｌｕｍａコードを生成するステップと、
これらを伝送又は格納のために画像信号内に格納するステップとを更に有する、請求項１に記載の方法。
【請求項７】
適用されたコード配分関数の表現を生成するステップと、
これを前記画像信号内に格納するステップとを更に有する、請求項１に記載の方法。
【請求項８】
前記第１の部分関数は、タイプインジケータにより前記の表現生成ステップにおいてエンコードされる、請求項６に記載の方法。
【請求項９】
前記第２の部分関数は、少なくともガンマ関数の累乗のための値により前記の表現生成ステップにおいてエンコードされる、請求項６に記載の方法。
【請求項１０】
コード配分関数を決定するための装置であって、
第１の出力ｌｕｍａ値の全体ｌｕｍａ範囲に対する線形ルミナンス入力値の全体ルミナンス範囲の非線形可逆マッピングを規定する少なくとも２つの部分関数のうちの第１の部分関数を決定する計算ユニットと、
第２の出力ｌｕｍａ値の全体ｌｕｍａ範囲に対する前記第１の出力ｌｕｍａ値である入力ｌｕｍａ値の全体ｌｕｍａ範囲の非線形可逆マッピングを規定する、前記少なくとも２つの部分関数のうちの前記第１の部分関数からのｌｕｍａ値に連続的に適用される第２の部分関数を決定する計算ユニットと、
画素ルミナンスを持つ画素色を前記少なくとも２つの部分関数からの斯様な画素ルミナンスをエンコードするｌｕｍａコードに割り当てるためのコード配分関数を構成するコード配分関数構成ユニットと、
を有する、装置。
【請求項１１】
画素色コードとコード配分関数の少なくとも部分の定義とを有する画像又はビデオ信号の信号フォーマットであって、
ｌｕｍａコードマッピングを少なくとも部分的に規定する前記コード配分関数の定義は、少なくとも２つの部分関数により少なくとも部分的に規定され、
前記ｌｕｍａコードマッピングは、画素線形ルミナンスのｌｕｍａ値への非線形マッピングを与え、前記ｌｕｍａコードマッピングは、第１の出力ｌｕｍａ値の全体ｌｕｍａ範囲に対する線形ルミナンス入力値の全体ルミナンス範囲の非線形可逆マッピングを規定する前記少なくとも２つの部分関数のうちの第１の部分関数、及び、第２の出力ｌｕｍａ値の全体ｌｕｍａ範囲に対する前記第１の出力ｌｕｍａ値である入力ｌｕｍａ値の全体ｌｕｍａ範囲の非線形可逆マッピングを規定する、前記少なくとも２つの部分関数のうちの前記第１の部分関数からのｌｕｍａ値に連続的に適用される第２の部分関数である付与される部分関数に連続的にエンコードされる、画像又はビデオ信号の信号フォーマット。
【請求項１２】
請求項１１に記載の信号フォーマットを有する画像又はビデオ信号が記録された、メモリ製品。
【請求項１３】
ｌｕｍａコードから画素線形ルミナンスへのマッピングのためのコードマッピング関数を決定する方法であって、
前記コードマッピング関数のための少なくとも２つの部分関数を決定するステップと、
前記少なくとも２つの部分関数に基づいて前記コードマッピング関数を決定するステップとを有し、
前記コードマッピング関数は、ｌｕｍａコードの画素線形ルミナンスへの非線形マッピングを与え、前記コードマッピング関数は、第１の出力ｌｕｍａ値の全体ｌｕｍａ範囲に対する線形ルミナンス入力値の全体ルミナンス範囲の非線形可逆マッピングを規定する前記少なくとも２つの部分関数のうちの第１の部分関数、及び、第２の出力ｌｕｍａ値の全体ｌｕｍａ範囲に対する前記第１の出力ｌｕｍａ値である入力ｌｕｍａ値の全体ｌｕｍａ範囲の非線形可逆マッピングを規定する、前記少なくとも２つの部分関数のうちの前記第１の部分関数からのｌｕｍａ値に連続的に適用される第２の部分関数である連続的に付与される部分関数からなる、方法。
【請求項１４】
エンコードされた画像信号を更に有する受信した信号のデータから前記第１の部分関数及び前記第２の部分関数のうち少なくとも１つを決定するステップを更に有する、請求項１３に記載の方法。
【請求項１５】
ｌｕｍａコードから画素線形ルミナンスへのマッピングのためのコードマッピング関数を決定するための装置であって、
前記コードマッピング関数のための少なくとも２つの部分関数を決定するための第１の決定部と、
連続的な順序で付与される前記少なくとも２つの部分関数に基づいて前記コードマッピング関数を決定するための第２の決定部とを有し、
前記コードマッピング関数は、第１の出力ｌｕｍａ値の全体ｌｕｍａ範囲に対する線形ルミナンス入力値の全体ルミナンス範囲の非線形可逆マッピングを規定する前記少なくとも２つの部分関数のうちの第１の部分関数と、第２の出力ｌｕｍａ値の全体ｌｕｍａ範囲に対する前記第１の出力ｌｕｍａ値である入力ｌｕｍａ値の全体ｌｕｍａ範囲の非線形可逆マッピングを規定する、前記少なくとも２つの部分関数のうちの前記第１の部分関数からのｌｕｍａ値に連続的に適用される第２の部分関数とである、連続した順序で付与される２つの部分関数から規定される画素線形ルミナンスに対してｌｕｍａコードの非線形マッピングを与える、装置。